(57)【要約】【課題】竿ピンチについて、物干し竿上にあっても邪魔になりにくいとともに洗濯物の固定位置まで容易に移動できるようにする。【解決手段】摘み腕１６，１７とこれから延長された挟み腕１０，１１と、これを挟み方向に付勢するバネ体１４とを備えた竿ピンチ１Ａであって、挟み腕１６，１７は、閉じた状態で内径が物干し竿１００の外径よりも小さい第１の竿挿通部２を構成する基端側部分１０ａ，１１ａと、閉じた状態で内径が物干し竿１００の外径よりも大きくこれを遊動可能な状態で挿通させる第２の竿挿通部３を構成する先端側部分１０ｂ，１１ｂからなり、第１の竿挿通部２で挟み込んで物干し竿１００上に固定され、第２の竿挿通部３に物干し竿１００を入れて閉じることで開放端４及び幅狭部５が物干し竿１００の外径よりも小さくなり、第２の竿挿通部３で掛けた状態で脱落せずに物干し竿１００の長さ方向にスライド移動自在になるものとした。【選択図】図２
2011250968.tif 000002
【特許請求の範囲】
【請求項１】
１対の摘み腕と、該摘み腕の開閉の中心軸を構成する部分から各々延長されて固定対象である物干し竿の外周面に適合した内側形状を形成してなる１対の挟み腕と、該挟み腕を挟み方向に付勢するバネ体とを備えて、前記物干し竿に掛けた洗濯物を前記１対の挟み腕で外側から挟み込んで前記物干し竿上に固定するための竿ピンチにおいて、
前記１対の挟み腕は、閉じた状態で挟み方向の内径が前記物干し竿の外径よりも小さくなる第１の竿挿通部を構成する基端側部分と、該基端側部分の先端側から各々延設されて閉じた状態で挟み方向の内径が前記物干し竿の外径よりも大きく前記物干し竿を遊動可能な状態で挿通させる第２の竿挿通部を構成する先端側部分とからなり、前記第１の竿挿通部と前記第２の竿挿通部とで間に幅狭部を有した瓢箪状の内側空間を形成しており、前記摘み腕を摘んで前記第２の竿挿通部の開放端及び前記幅狭部を開き前記第１の竿挿通部に前記物干し竿を入れて挟み込むことで前記物干し竿上に固定され、その状態から前記摘み腕を摘んで前記幅狭部を開き前記第２の竿挿通部に前記物干し竿を移動させて閉じることで前記開放端及び前記幅狭部の幅が前記物干し竿の外径よりも小さくなり、前記第２の竿挿通部で前記物干し竿に掛けた状態で脱落しないとともに前記干し竿の長さ方向にスライド移動自在なものとなる、ことを特徴とする竿ピンチ。
【請求項２】
前記１対の摘み腕の少なくともいずれかに、ハンガーのフックを挿通して吊り下げるための挿通孔が設けられている、ことを特徴とする請求項１に記載した竿ピンチ。
【請求項３】
１本の線状金属を屈曲することでその大部分が構成されており、前記バネ体が前記線状金属をコイル状に捲回した部分からなる、ことを特徴とする請求項１または２に記載した竿ピンチ。
【請求項４】
樹脂成形にて作成した部材でその大部分が構成されており、前記バネ体がＣ字状のリングバネからなる、ことを特徴とする請求項１または２に記載した竿ピンチ。
【発明の詳細な説明】
【技術分野】
【０００１】
本発明は、竿ピンチに関し、殊に、物干し竿に掛けたまま自在にスライド移動することのできる竿ピンチに関する。  
【背景技術】
【０００２】
竿ピンチは、タオルやシーツ、或いはズボン等の洗濯物を物干し竿に掛けた状態で上から物干し竿とともに挟み込むことによりこれらが物干し竿から脱落しないように固定するのに用いられ、物干し竿の外径に適合した形状・サイズの竿挿通部を有した洗濯バサミの一種である。この竿ピンチは、不使用時に物干し竿に固定したままにしている場合が多いため、物干し竿に複数の洗濯物を掛けて干す際に、物干し竿上の竿ピンチが邪魔になることがある。
【０００３】
一方、例えば実開平７−２０１８８号公報や実登第３１２５６２０号に記載の竿ピンチのように、竿ピンチの一部にハンガーを吊り下げる構造を備えているものも知られている。この竿ピンチにシャツ等を掛けたハンガーを吊り下げ、他の洗濯物との間隔をとりながら物干し竿上の適宜位置で挟み込むことにより、ハンガーがずれ動いたり物干し竿から脱落したりしないように固定することができる。
【０００４】
しかし、上述したこれらの竿ピンチは、いずれも物干し竿上に固定した待機位置から洗濯物を干す位置にまで移動させる際に、いちいち摘みを摘んで固定状態を解除しなければならず、その着脱作業に手間を要していた。また、竿ピンチの不使用時に物干し竿上に固定しておかないケースでも、複数の洗濯物を物干し竿に並べて干す際には、多数の竿ピンチを片手で持ちながら洗濯物を順次固定していったり、或いは竿ピンチを先に物干し竿上の適当な間隔にて配置してから、その位置で洗濯物を掛けて固定したりしており、いずれも面倒な手間を要していた。
【先行技術文献】
【特許文献】
【０００５】
【特許文献１】実開平７−２０１８８号公報
【特許文献２】実登第３１２５６２０号
【発明の概要】
【発明が解決しようとする課題】
【０００６】
本発明は、上記のような問題を解決しようとするものであり、洗濯物を物干し竿上の所望位置で固定するのに用いる竿ピンチについて、物干し竿上にあっても邪魔になりにくいとともに洗濯物の固定位置まで容易に移動できるようにすることを課題とする。
【課題を解決するための手段】
【０００７】
そこで、本発明は、１対の摘み腕と、この摘み腕の開閉の中心軸を構成する部分から各々延長されて固定対象である物干し竿の外周面に適合した内側形状を形成してなる１対の挟み腕と、この挟み腕を挟み方向に付勢するバネ体とを備えて、物干し竿に掛けた洗濯物を１対の挟み腕で外側から挟み込んで物干し竿上に固定するための竿ピンチにおいて、その１対の挟み腕は、閉じた状態で挟み方向の内径が物干し竿の外径よりも小さくなる第１の竿挿通部を構成する基端側部分と、この基端側部分の先端側から各々延設されて閉じた状態で挟み方向の内径が物干し竿の外径よりも大きく物干し竿を遊動可能な状態で挿通させる第２の竿挿通部を構成する先端側部分とからなり、第１の竿挿通部と第２の竿挿通部とで間に幅狭部を有した瓢箪状の内側空間を形成しており、摘み腕を摘んで第２の竿挿通部の開放端及び幅狭部を開き第１の竿挿通部に物干し竿を入れて挟み込むことで物干し竿上に固定され、その状態から摘み腕を摘んで幅狭部を開き第２の竿挿通部に物干し竿を移動させて閉じることで開放端及び幅狭部の幅が物干し竿の外径よりも小さくなり、第２の竿挿通部で物干し竿に掛けた状態で脱落しないとともに干し竿の長さ方向にスライド移動自在なものとなる、ことを特徴とするものとした。
【０００８】
このように、竿ピンチの挟み腕を、物干し竿を挟み込んで固定するための第１の竿挿通部を構成する基端側部分から、閉じた状態で物干し竿よりも大径の第２の竿挿通部を構成する先端側部分を延設したものとすることにより、第２の竿挿通部に物干し竿を挿通して掛けることで、摘み腕側が下になって吊り下がった状態になってその上に洗濯物を掛けて干せることに加え、そのまま脱落せずに物干し竿上を自在にスライド移動可能なものとなり、しかも、摘み腕を摘んで幅狭部を開くことでそのまま第１の竿挿通部に物干し竿を入れてその位置で固定できることから、物干し作業の手間を大きく低減できるものとなる。
【０００９】
また、この竿ピンチにおいて、その１対の摘み腕の少なくともいずれかに、ハンガーのフックを挿通して吊り下げるための挿通孔が設けられている、ことを特徴としたものとすれば、ハンガーを物干し竿上の所望位置に容易に固定できるとともに、その吊り下げ位置の調整も極めて容易なものとなる。
【００１０】
さらに、上述した竿ピンチを、１本の線状金属を屈曲することでその大部分が構成されているものとし、そのバネ体がその線状金属をコイル状に捲回した部分からなることを特徴としたものとすれば、線状金属に錆に強い素材を用いることで耐久性に極めて優れたものとすることができる。
【００１１】
或いは、上述した竿ピンチは、樹脂成形にて作成した部材によりその大部分が構成されているものとし、そのバネ体がＣ字状のリングバネからなることを特徴としたものとすれば、低コストで簡易に作成可能なものとなる。
【発明の効果】
【００１２】
物干し竿を挟み込んで固定する第１の竿挿通部を構成する基端側部分の先端側から物干し竿よりも大径の第２の竿挿通部を構成する先端側部分を延設してなる本発明によると、物干し竿上にあっても邪魔になりにくいとともに洗濯物の固定位置まで容易に移動できるものである。
【図面の簡単な説明】
【００１３】
【図１】（Ａ）は本発明における実施の形態の正面図であり、（Ｂ）は（Ａ）の右側面図である。
【図２】（Ａ）は図１の竿ピンチの挟みの腕基端側部分で物干し竿を挟みこんで固定した状態を示す正面図であり、（Ｂ）は図１の竿ピンチの挟み腕の先端側部分で物干し竿に掛けた状態を示す正面図である。
【図３】図２（Ｂ）の竿ピンチにハンガーを吊り下げた状態を示す正面図である。
【図４】図１の竿ピンチの使用状況を説明するための斜視図である。
【図５】（Ａ）は図１の竿ピンチの応用例を示す正面図であり、（Ｂ）は（Ａ）の右側面図である。
【図６】（Ａ）は図５の竿ピンチの挟み腕の基端側部分で物干し竿を挟みこんで固定した状態を示す正面図であり、（Ｂ）は図５の竿ピンチの挟み腕の先端側部分で物干し竿に掛けた状態を示す正面図である。
【発明を実施するための形態】
【００１４】
以下に、図面を参照しながら本発明を実施するための形態を説明する。
【００１５】
図１（Ａ）は、本実施の形態である竿ピンチ１Ａの正面図を示しており、図１（Ｂ）はその右側面図を示している。この竿ピンチ１Ａは、物干し竿に掛けた洗濯物を固定したり洗濯物を掛けたハンガーの物干し竿上の吊り下げ位置を固定したりするのに用いられ、その大部分がステンレス鋼線等の１本の線状金属を屈曲して構成されている。
【００１６】
本実施の形態の竿ピンチ１Ａは、１対の摘み腕１６，１７と、その開閉の中心軸を構成するとともに線状金属をコイル状に形成してこれらを挟み方向に付勢する部分であるバネ体１４と、このバネ体１４の部分から各々延長されて物干し竿外周面に適合する内側形状を形成してなる１対の挟み腕１０，１１とを備えており、物干し竿に掛けた洗濯物を１対の挟み腕１０，１１で物干し竿とともに外側から挟み込んで、これを物干し竿上に固定できるようになっている。
【００１７】
その１対の挟み腕１０，１１は、閉じた状態で挟み方向の内径が固定対象である物干し竿の外径よりも小さくなる第１の竿挿通部２を構成する基端側部分１０ａ，１１ａと、これらの先端側から各々延設されて、挟み腕１０，１１を閉じた状態で挟み方向の内径が物干し竿の外径よりも大きく物干し竿を遊動可能な状態で挿通させる第２の竿挿通部３を構成する先端側部分１０ｂ，１１ｂとからなり、第１の竿挿通部２と第２の竿挿通部３とで間に幅狭部５を有する瓢箪状の内側空間を形成しており、物干し竿を挟み込む部分が２段式になっている点が本発明の特徴部分となっている。
【００１８】
そして、コイル状のバネ体１４の付勢力に抗しながら、摘み腕１６，１７を指で摘んで第２の竿挿通部３の開放端４及び幅狭部５を開き、図２（Ａ）に示すように第２の竿挿通部３を通って第１の竿挿通部２に物干し竿１００を入れて閉じることにより、その位置にて物干し竿１００を挟み込んで固定され、その状態から摘み腕１６，１７を摘んで幅狭部５を開き、図２（Ｂ）に示すように第２の竿挿通部３側に物干し竿１００を移動させてから（実際には竿ピンチ１Ａを動かす）挟み腕１０，１１を閉じることで、開放端４及び幅狭部５の幅が物干し竿１００の外径よりも小さくなる。
【００１９】
このような構成としたことにより、竿ピンチ１Ａは第２の竿挿通部３で物干し竿１００に掛けた状態で脱落することがないとともに、物干し竿１００の長さ方向にスライド移動自在なものとなる。したがって、竿ピンチ１Ａの不使用時に、図２（Ｂ）に示すように摘み腕１６，１７を下にした状態で物干し竿１００にぶら下げた状態とすれば、物干し竿１００の上面よりも上側に突出する部分が無くなるため、その上に洗濯物を掛けて干す際にも邪魔にはならない。
【００２０】
また、この竿ピンチ１Ａは、第２の竿挿通部３を掛けてぶら下がった状態で物干し竿１００の長さ方向にスライド移動自在であることから、物干し竿１００に洗濯物を複数並べて干す際に、各洗濯物を干す位置まで容易に移動させることができ、位置が決まったら、竿ピンチ１Ａを回して上下を逆にしてから摘み腕１６，１７を摘んで開くことにより、第１の竿挿通部２で洗濯物とともに物干し竿１００を挟み込むことができ、洗濯物を物干し竿１００上の所望位置にて容易に固定することができる。
【００２１】
さらに、この竿ピンチ１Ａは、図１（Ｂ）に示したように摘み腕１６，１７が線状金属をループ状に屈曲して構成されたものであることから、その内側に各々挿通孔１６ａ，１７ａが形成されており、図３に示すようにこれにハンガー２０のフック２１を掛けて吊り下げることを可能としている。そのため、シャツ等の洗濯物をハンガー２０に掛けた状態で物干し竿１００上の所望位置に容易に固定できるとともに、固定位置の調整も極めて容易である。
【００２２】
図４は、本実施の形態の竿ピンチ１Ａの使用状況を説明するための斜視図を示している。竿ピンチ１Ａは、上述したようにその第２の竿挿通部３で掛けておくことにより物干し竿１００上で回動可能且つスライド自在な状態となるため、使用しない場合は、物干し竿１００の端部側に第２の竿挿通部３で掛けてぶら下げた状態にして、複数纏めて待機状態にしておくと便利である。
【００２３】
また、例えばバスタオル８０等の洗濯物を物干し竿１００に掛けて干す際には、先ず、バスタオル８０を物干し竿１００上の干すべき位置に掛けておき、纏めて下げておいた複数の竿ピンチ１Ａのうち端側の２つを摘み腕１６，１７側が上になるようにそのまま物干し竿１００上をスライド移動させ、バスタオル８０上の各固定位置まで移動させる。尚、仮にバスタオル８０を掛ける際に、その位置に使用しない竿ピンチ１Ａがぶら下がっていても、物干し竿１００に掛かっている部分が突出していないので、特に邪魔にはならない。
【００２４】
そして、摘み腕１６，１７を指で摘んで開きながら、第１の竿挿通部２内にバスタオル８０とともに物干し竿１００を移動させ（実際には竿ピンチ１Ａを動かす）、摘み腕１６，１７を各々離すことでバネ体１４の付勢力で挟み腕１０，１１が閉じ、バスタオル８０はその位置で固定される。したがって、本実施の形態の竿ピンチ１Ａは、不使用時に物干し竿１００の所定位置に纏めておくことで邪魔にならないことに加え、洗濯物を干す位置に移動させる際にも最小限の手間で済む。
【００２５】
また、図４における物干し竿１００の右端側に示すように、この竿ピンチ１Ａを摘み腕１６，１７側を下にした状態で第１の竿挿通部２で物干し竿１００に固定することで、その摘み腕１６，１７の挿通孔１６ａ，１７ａにハンガー３０のフック３１を掛けて吊り下げることができる。
【００２６】
これにより、ハンガー３０は脱落しないとともに物干し竿１００上をずれ動く心配のない状態となる。また、ハンガー３０を吊り下げた状態のまま摘み腕１６，１７を摘んで挟み腕１０，１１を僅かに開くことで、物干し竿１００上をスライド移動可能な状態となるため、その位置調整も極めて容易である。
【００２７】
図５，図６は、前述した実施の形態の竿ピンチ１Ａの応用例としての竿ピンチ１Ｂを示すものであり、図５（Ａ）に示すように、竿ピンチ１Ｂは樹脂成形にて作成した部材によりその大部分が構成されているとともに、そのバネ体１５がＣ字状のリングバネからなることを特徴としている。
【００２８】
即ち、この竿ピンチ１Ｂは、その摘み腕１８，１９及びこれから延長された挟み腕１２，１３が樹脂による一体成形にて作成され、その開閉の中心軸となる軸棒１５０の外周側にＣ字状のバネ体１５が配設されてなるものであり、比較的低コストで簡易に作成できる点が特徴となっている。また、前述した竿ピンチ１Ａと同様に、挟み腕１２，１３は、第１の竿挿通部６を構成する基端側部分１２ａ，１３ａと第２の竿挿通部７を構成する先端側部分１２ｂ，１３ｂからなり、これらで幅狭部９と開放端８を有した瓢箪状の内側空間を形成している。
【００２９】
さらに、この竿ピンチ１Ｂは、図５（Ｂ）に示すようにその摘み腕１８，１９端部側にハンガーのフックを挿通して吊り下げるための挿通孔１８ａ，１９ａが設けられている点も、前述の竿ピンチ１Ａと同様である。そして、図６（Ａ）に示すように第１の竿挿通部６に物干し竿１００を挿通した状態で挟み込んで固定することができ、図６（Ｂ）に示すように第２の竿挿通部７に物干し竿１００を挿通させた状態で吊り下げて物干し竿１００の長さ方向にスライド自在な状態となり、前述した物干し竿１Ａと同様の機能を発揮する。
【００３０】
以上、述べたように、洗濯物を物干し竿上の所望位置で固定するために用いる竿ピンチについて、本発明により、物干し竿上にあっても邪魔になりにくいとともに、洗濯物の固定位置まで容易に移動できるものとなった。
【符号の説明】
【００３１】
１Ａ，１Ｂ  竿ピンチ、２，６  第１の竿挿通部、３，７  第２の竿挿通部、４，８  開放端、５，９  幅狭部、１０，１１，１２，１３  挟み腕、１０ａ，１１ａ，１２ａ，１３ａ  基端側部分、１０ｂ，１１ｂ，１２ｂ，１３ｂ  先端側部分、１４，１５  バネ体、１６，１７，１８，１９  摘み腕、１６ａ，１７ａ，１８ａ，１９ａ  挿通孔、２０，３０  ハンガー，２１，３１  フック、８０  バスタオル、１００  物干し竿
【図１】
2011250968.tif 000003
【図２】
2011250968.tif 000004
【図３】
2011250968.tif 000005
【図４】
2011250968.tif 000006
【図５】
2011250968.tif 000007
【図６】
2011250968.tif 000008